(57)【特許請求の範囲】
【請求項１】
プロセスの系統を表示したミミック式制御盤に配置された操作スイッチを誤操作から防止するために前記操作スイッチの周囲を囲うと共に、上部、下部、及び後部が開口された箱状の保護カバーであって、
前記操作スイッチの両翼に配置される一対の透明な側面板と、
一対の前記側面板の高さより低い高さを有し、前記操作スイッチの前面を覆うように、一対の前記側面板の前部に結合した透明な前面板と、を少なくとも備え、
前記前面板は、前記操作スイッチの操作禁止を少なくとも表示した複数の札を収納するポケットを背後に有し、
このポケットは、
前記前面板の下部に密着して固定されると共に、複数の前記札が載置される帯状の底面板と、
複数の前記札が差し込み可能に前記前面板と所定の間隙を設けて当該前面板に対向配置されると共に、底面が前記底面板に密着した透明な背面板と、を含んで構成され、
前記操作スイッチは、
当該操作スイッチの制御対象の名称が少なくとも表示された記号板と、
この記号板の中央部から突出したスイッチ軸を回動可能なハンドルと、を有し、
前記側面板は、前部上方の隅部が斜めに切り欠かれた傾斜部を有し、
一対の前記側面板の後部を固定する一対の第１枠板、及びこれらの第１枠板の上端部同士を結合する第２枠板を有する門形の取り付け枠を更に備え、
前記取り付け枠は、前記ミミック式制御盤に着脱自在な複数のマグネットを後部に有し、
前記第２枠板に後部が固定される共に、一対の前記側面板を結合する透明な帯板状のステイを更に備え、
前記底面板は、一対の前記側面板を結合する操作スイッチの保護カバー。
【請求項２】
前記側面板は、下縁から上縁に向けてＵ字状に切り欠かれた逃げ部を有する請求項１記載の操作スイッチの保護カバー。
【請求項３】
一対の前記第１枠板は、プロセスの経路を表示すると共に、前記操作スイッチを横断するようにミミック式制御盤の表面に取り付けられた横断枠板を逃げる第１溝部を有し、
前記第２枠板は、プロセスの経路を表示すると共に、前記操作スイッチを縦断するようにミミック式制御盤の表面に取り付けられた縦断枠板を逃げる第２溝部を有する請求項１又は２記載の操作スイッチの保護カバー。
【請求項４】
前記ハンドルは、ダイヤル状の菊形ハンドルとレバー状のステッキ形ハンドルのいずれか一方を含む請求項１から３のいずれかに記載の操作スイッチの保護カバー。
【発明の詳細な説明】
【技術分野】
【０００１】
本発明は、操作スイッチの保護カバーに関する。特に、誤操作から防止するために、操作スイッチを囲う箱状の保護カバーであって、操作スイッチの操作禁止などを表示した札を収納するポケットを有する保護カバーの構造に関する。
【背景技術】
【０００２】
原子力、火力、又は水力を利用した発電プラントなどは、プラント全体を円滑に運転管理するために、一般に、中央制御室が設けられている。このような中央制御室には、例えば、発電プラントのプロセスの系統を表示したミミック式制御盤が設置されている。そして、運転員（監視員）は、ミミック式制御盤に配置された複数の操作スイッチを操作して、プラントの随所に配置した遮断器や開閉弁などを遠隔操作している。
【０００３】
このようなミミック式制御盤では、運転員の選択ミスで誤って別の操作スイッチを操作し、又は、他の作業中に誤って操作スイッチに接触して、その操作スイッチを作動させるなどの操作スイッチの誤操作を発生させる心配があった。
【０００４】
このような不具合を生じないように、ミミック式制御盤に配置された複数の操作スイッチを透明なプラスチック製の保護カバーで個々に覆うことにより、操作スイッチの誤操作による事故を防止する対策が採用されている（例えば、特許文献１参照）。
【０００５】
特許文献１による制御盤は、日常の運転操作に用いない、プラントの点検や修理などの保守作業用の操作スイッチを制御盤から取り除き、これらの保守作業用の操作スイッチをリモコンスイッチ箱に別に設けることにより、制御盤の操作スイッチの配置個数を削減できる、としている。
【０００６】
又、発電所では、定期的又は不定期に発電プラントを保守・点検している。保守作業を実施するときには、人的保護、安全などの観点から、遮断器や開閉弁を作業前に必ず電気的にロックしている。例えば、ブレーカのスイッチ（操作レバー）をオフにして制御先を電気的に遮断している。そして、保守作業中に運転員がブレーカのスイッチを操作して、誤ってロックを解除しないように、ブレーカのスイッチに紐付きの操作禁止札を取り付けている。
【０００７】
ところで、ブレーカのスイッチに紐を巻き付けただけでは、振動や風などによって操作禁止札がブレーカのスイッチから外れる心配があることから、紐が付いた操作禁止札をブレーカのスイッチなどに容易かつ堅固に取り付け可能な札取り付け具が開示されている（例えば、特許文献２参照）。
【０００８】
特許文献２による札取り付け具は、ブレーカのスイッチなどの棒状の操作レバーに着脱自在に装着される環状の本体を備え、この本体には、札に係止された紐を通す孔が操作レバーに挿入する方向と交わる方向に貫通している。
【０００９】
特許文献２による札取り付け具は、札の紐を本体の孔に通し、操作レバーに本体を挿入することで、札の紐が本体と操作レバーとで挟持され、札が操作レバーに容易かつ堅固に取り付けられる、としている。
【先行技術文献】
【特許文献】
【００１０】
【特許文献１】特開２０００−１３７５１０号公報
【特許文献２】特開２００９−１１６０２０号公報
【発明の概要】
【発明が解決しようとする課題】
【００１１】
しかし、このような箱状の保護カバーで囲われた操作スイッチに操作禁止札を取り付ける場合には、保護カバーをミミック式制御盤から取り外し、操作禁止札に設けた紐をスイッチ軸に繋留し、操作禁止札を半分に折り曲げるようにしてハンドルに載置した後に、再び、保護カバーをミミック式制御盤に取り付けていた。
【００１２】
このように、従来の操作スイッチの保護カバーは、操作禁止札の取り付けが面倒であった、という問題がある。更に、複数枚の操作禁止札を積み重ねるように、操作スイッチに取り付けることがあり、従来の保護カバーの内部に収容するには困難をきわめていた。
【００１３】
操作禁止札などを取り付け容易な操作スイッチの保護カバー、特に、複数枚の操作禁止札などを収納可能な操作スイッチの保護カバーが実現できれば、便利である。そして、以上のことが本発明の課題といってよい。
【００１４】
本発明は、このような課題に鑑みてなされたものであり、複数枚の操作禁止札などを収納可能な操作スイッチの保護カバーを提供することを目的とする。
【課題を解決するための手段】
【００１５】
本発明者は、複数の透明板を箱状に構成し、又は、金型を用いて透明な箱状に成形し、操作スイッチの誤操作を防止する前面板を設けると共に、この前面板の内側に複数枚の操作禁止札などを収納可能なポケットを設けることにより、これらの課題が解決可能なことを見出し、これに基づいて、以下のような新たな操作スイッチの保護カバーを発明するに至った。
【００１６】
（１）本発明による操作スイッチの保護カバーは、プロセスの系統を表示したミミック式制御盤に配置された操作スイッチを誤操作から防止するために前記操作スイッチの周囲を囲うと共に、上部、下部、及び後部が開口された箱状の保護カバーであって、前記操作スイッチの両翼に配置される一対の透明な側面板と、一対の前記側面板の高さより低い高さを有し、前記操作スイッチの前面を覆うように、一対の前記側面板の前部に結合した透明な前面板と、を少なくとも備え、前記前面板は、前記操作スイッチの操作禁止を少なくとも表示した複数の札を収納するポケットを背後に有し、このポケットは、前記前面板の下部に密着して固定されると共に、複数の前記札が載置される帯状の底面板と、複数の前記札が差し込み可能に前記前面板と所定の間隙を設けて当該前面板に対向配置されると共に、底面が前記底面板に密着した透明な背面板と、を含んで構成され、前記操作スイッチは、当該操作スイッチの制御対象の名称が少なくとも表示された記号板と、この記号板の中央部から突出したスイッチ軸を回動可能なハンドルと、を有し、前記側面板は、前部上方の隅部が斜めに切り欠かれた傾斜部を有し、一対の前記側面板の後部を固定する一対の第１枠板、及びこれらの第１枠板の上端部同士を結合する第２枠板を有する門形の取り付け枠を更に備え、前記取り付け枠は、前記ミミック式制御盤に着脱自在な複数のマグネットを後部に有し、前記第２枠板に後部が固定される共に、一対の前記側面板を結合する透明な帯板状のステイを更に備え、前記底面板は、一対の前記側面板を結合する、という構成を含んでいる。
【００１８】
（２）前記側面板は、下縁から上縁に向けてＵ字状に切り欠かれた逃げ部を有することが好ましい。
【００２０】
（３）一対の前記第１枠板は、プロセスの経路を表示すると共に、前記操作スイッチを横断するようにミミック式制御盤の表面に取り付けられた横断枠板を逃げる第１溝部を有し、前記第２枠板は、プロセスの経路を表示すると共に、前記操作スイッチを縦断するようにミミック式制御盤の表面に取り付けられた縦断枠板を逃げる第２溝部を有することが好ましい。
【００２２】
（４）前記ハンドルは、ダイヤル状の菊形ハンドルとレバー状のステッキ形ハンドルのいずれか一方を含んでいる。
【発明の効果】
【００２３】
本発明による操作スイッチの保護カバーは、操作スイッチの操作禁止を少なくとも表示した複数の札を収納するポケットを前面板の背後に有しているので、操作禁止札などの取り付けが容易である。本発明による操作スイッチの保護カバーは、このポケットが前面板と所定の間隙を設けて前面板に対向配置されているので、複数の札を順次、重ねるようにして差し込み可能である。
【図面の簡単な説明】
【００２４】
【図１】本発明の一実施形態による操作スイッチの保護カバーの構成を示す斜視図であり、操作スイッチの操作禁止を表示した札をポケットに収納した状態図である。
【図２】前記実施形態による操作スイッチの保護カバーの縦断面図であり、操作スイッチの操作禁止を表示した札をポケットに収納した状態図である。
【図３】前記実施形態による操作スイッチの保護カバーの正面図であり、操作スイッチの操作禁止を表示した札をポケットに収納した状態図である。
【図４】前記実施形態による操作スイッチの保護カバーの構成を示す斜視図であり、保護カバーを背面側から観ている。
【図５】前記実施形態による操作スイッチの保護カバーの構成を示す斜視分解組立図である。
【図６】前記実施形態による操作スイッチの保護カバーを取り付けたミミック式制御盤を正面側から観たパノラマ図である。
【発明を実施するための形態】
【００２５】
以下、図面を参照して本発明を実施するための形態を説明する。
［操作スイッチの保護カバーの構成］
最初に、本発明の一実施形態による操作スイッチの保護カバーの構成を説明する。
【００２６】
図１は、本発明の一実施形態による操作スイッチの保護カバーの構成を示す斜視図であり、操作スイッチの操作禁止を表示した札をポケットに収納した状態図である。図２は、前記実施形態による操作スイッチの保護カバーの縦断面図であり、操作スイッチの操作禁止を表示した札をポケットに収納した状態図である。
【００２７】
図３は、前記実施形態による操作スイッチの保護カバーの正面図であり、操作スイッチの操作禁止を表示した札をポケットに収納した状態図である。図４は、前記実施形態による操作スイッチの保護カバーの構成を示す斜視図であり、保護カバーを背面側から観ている。
【００２８】
図５は、前記実施形態による操作スイッチの保護カバーの構成を示す斜視分解組立図である。図６は、前記実施形態による操作スイッチの保護カバーを取り付けたミミック式制御盤を正面側から観たパノラマ図である。
【００２９】
図１から図５を参照すると、本発明の一実施形態による保護カバー１０は、箱状に構成され、上部、下部、及び後部が開口されている。そして、保護カバー１０は、操作スイッチ８を誤操作から防止するために、操作スイッチ８の周囲を囲っている。操作スイッチ８は、プロセスの系統を表示したミミック式制御盤９に配置されている（図６参照）。
【００３０】
図１から図５を参照すると、保護カバー１０は、一対の透明な側面板１１・１１と透明な前面板１２を備えている。一対の側面板１１・１１は、操作スイッチ８の両翼に配置されている。前面板１２は、操作スイッチ８の前面を覆うように、一対の側面板１１の前部に結合している。又、前面板１２は、一対の側面板１１・１１の高さより低い高さを有している。
【００３１】
図１から図５を参照すると、前面板１２は、複数の矩形の札６を収納するポケット１ｐを背後に有している。札６は、操作スイッチ８の操作禁止を少なくとも表示している。ポケット１ｐは、帯状の透明な底面板１３と透明な背面板１４を含んで構成されている。
【００３２】
図１から図５を参照すると、底面板１３は、前面板１２の下部に密着して固定されている。又、底面板１３は、その長手方向の両端部が一対の側面板１１・１１に結合している。そして、底面板１３には、複数の札６を載置することができる。
【００３３】
図１から図５を参照すると、背面板１４は、前面板１２と所定の間隙を設けて、前面板１２に対向配置されている。又、背面板１４は、その底面が底面板１３に密着していると共に、両側面が一対の側面板１１・１１に結合している。そして、前面板１２と背面板１４の間に複数の札６が差し込むことができる。
【００３４】
図１又は図２を参照すると、操作スイッチ８は、記号板８ａとハンドル８ｄを有している。記号板８ａには、操作スイッチ８の制御対象の名称が少なくとも表示されている。ハンドル８ｄは、記号板８ａの中央部から突出したスイッチ軸８ｂに取り付けられている。そして、運転員は、記号板８ａに表示された制御対象の名称を確認して、ハンドル８ｄを回動していた。
【００３５】
図１又は図２を参照すると、操作スイッチ８に設けたハンドル８ｄは、レバー状のいわゆる「ステッキ形ハンドル」が使用されている。図６を参照すると、操作スイッチ８は、ダイヤル状のいわゆる「菊形ハンドル」と呼ばれるハンドル８ｃも使用されている。
【００３６】
図６を参照すると、ハンドル８ｃは、中立の状態と、一方の方向に傾動して操作スイッチ８を作動させる第１傾斜状態と、他方の方向に傾動して操作スイッチ８を作動させない第２傾斜状態とに操作スイッチ８を切り換えることができる。一方、ハンドル８ｄは、一方の方向に傾動して操作スイッチ８を作動させることができる。そして、ハンドル８ｄは、ハンドル８ｄを解放すると、元の状態に自動復帰するオートリバースタイプになっている。ミミック式制御盤９には、２種類のハンドル８ｃ・８ｄが目的に合わせて使用されている。
【００３７】
図１又は図６を参照すると、操作スイッチ８の上部には、一対の表示ランプ９ｒ・９ｒを配置している。これらの表示ランプ９ｒ・９ｒは、操作スイッチ８が作動状態か非作動状態かを確認できるように、いずれか一方の表示ランプ９ｒを点灯するように、回路構成されている。
【００３８】
図１から図５を参照すると、側面板１１は、前部上方の隅部が斜めに切り欠かれた傾斜部１１ａを有している。図１又は図２を参照すると、保護カバー１０の上部が開口されていると共に、側面板１１の前部上方の隅部が斜めに切り欠かれているので、記号板８ａの視認が容易である。
【００３９】
図１から図５を参照すると、側面板１１は、下縁１１１から上縁１１２に向けて、Ｕ字状に切り欠かれた逃げ部１１ｂを有している。これにより、ハンドル８ｃ・８ｄのいずれも操作が容易になる。なお、逃げ部１１ｂの作用は、後述する。
【００４０】
図１から図５を参照すると、保護カバー１０は、門形の取り付け枠２を備えている。取り付け枠２は、一対の第１枠板２１・２１と第２枠板２２で構成されている。第１枠板２１は、前部に開口した溝に側面板１１の後部が圧入されて、側面板１１を固定している。第２枠板２２は、一対の第１枠板２１・２１の上端部同士を結合している。実体として、取り付け枠２は、硬質の合成樹脂からなり、一対の第１枠板２１・２１及び第２枠板２２を一体に成形している。
【００４１】
図４又は図５を参照すると、取り付け枠２は、複数の帯板状のマグネット３を後部に取り付けている。そして、複数のマグネット３の磁力で、保護カバー１０をミミック式制御盤９に取り付けることができる（図６参照）。一方、保護カバー１０を把持して、保護カバー１０をミミック式制御盤９から取り外すこともできる（図６参照）。このように、保護カバー１０は、ミミック式制御盤９に着脱自在になっている。
【００４２】
図６を参照すると、ミミック式制御盤９は、所定の厚さを有する複数の縦断枠板９ａを設けている。縦断枠板９ａは、プロセスの経路を表示すると共に、操作スイッチ８を縦断するようにミミック式制御盤９の表面に取り付けられている。一方、第２枠板２２は、縦断枠板９ａを逃げる第２溝部２２ａを後部に設けている。
【００４３】
又、図６には記載されていないが、ミミック式制御盤９は、所定の厚さを有する複数の横断枠板を設けることがある。横断枠板は、プロセスの経路を表示すると共に、操作スイッチ８を横断するようにミミック式制御盤９の表面に取り付けられている。一方、第１枠板２１は、横断枠板を逃げる第１溝部２１ａを後部に設けている。
【００４４】
図１から図５を参照すると、保護カバー１０は、透明な帯板状のステイ１５を更に備えている。ステイ１５は、その後部が第２枠板２２に固定されている。ステイ１５は、一対の側面板１１・１１を結合している。底面板１３及びステイ１５は、保護カバー１０の箱状の形状が歪まないように、補強している。
【００４５】
［操作スイッチの保護カバーの作用］
次に、実施形態による保護カバー１０の作用及び効果を説明する。図１から図５を参照すると、保護カバー１０は、複数の透明なプラスチック板で組み立てられ、箱状に形成している。
【００４６】
図１から図５を参照すると、保護カバー１０は、操作スイッチ８を操作するために、下部を開口している。又、保護カバー１０は、操作スイッチ８の両翼に一対の側面板１１・１１を配置している共に、操作スイッチ８の前面を前面板１２で覆っている。これにより、操作スイッチ８の誤操作を防止できる。
【００４７】
図１から図５を参照すると、保護カバー１０は、操作スイッチ８の操作禁止を少なくとも表示した複数の札６を収納するポケット１ｐを前面板１２の背後に有している。実施形態による保護カバー１０は、操作禁止の札６をポケット１ｐに差し込んで保持できる。実施形態による保護カバー１０は、従来の保護カバーのように、保護カバーを制御盤から取り外すことなく、操作禁止札を取り付けることができるので便利である。
【００４８】
図１から図３を参照すると、操作禁止の札６には、紐を添付していないが、札６に紐を添付してもよい。この場合、保護カバー１０の上部が開口しているので、紐を操作スイッチ８に繋留することが容易である。ポケット１ｐには、札６を積み重ねるように、収納でき、例えば、６から７枚程度の札６を収納できる。
【００４９】
従来の保護カバーは、保護カバーを上方からある角度で見ると、保護カバーの表面で光が全反射するので、操作スイッチ８に設けた記号板８ａの制御対象の名称などを確認することが困難であった（図１参照）。
【００５０】
一方、図１から図５を参照すると、実施形態による保護カバー１０は、上部及び下部が開口され、一対の側面板１１・１１は、その前部上方の隅部が斜めに切り欠かれた傾斜部１１ａを有するので、記号板８ａに表示された操作スイッチ８の制御対象の名称を確認することが容易である。
【００５１】
又、図１から図５を参照すると、実施形態による保護カバー１０は、ダイヤル状のハンドル８ｃに対応するように、小型に構成しているが、側面板１１には、下縁１１１から上縁１１２に向けて、Ｕ字状に切り欠かれた逃げ部１１ｂを設けているので、ハンドル８ｃ・８ｄのいずれも保護カバー１０の取り付け・取り外しが容易になる。
【００５２】
更に、従来の操作スイッチの保護カバーは、ミミック式制御盤９から取り外すときに、両側面を把持するが、両側面板の表面が平坦で滑らかであるので、保護カバーを把持し難かった。図１から図５を参照すると、実施形態による保護カバー１０は、一対の逃げ部１１ｂ・１１ｂに両手を入れて、一対の側面板１１・１１を把持でき、保護カバー１０をハンドル８ｃ・８ｄに引っ掛けることなく、ミミック式制御盤９から容易に取り外すことができる（図６参照）。
【００５３】
又、図１から図５を参照すると、実施形態による保護カバー１０は、複数のマグネット３を取り付け枠２の後部に取り付けているので、保護カバー１０をミミック式制御盤９に容易に取り付けることができる（図６参照）。このように、実施形態による保護カバー１０は、ミミック式制御盤９への取り付け又は取り外しが容易である。
【００５４】
図１から図５を参照すると、実施形態による保護カバー１０は、横断枠板を逃げる第１溝部２１ａを第１枠板２１に設け、縦断枠板９ａを逃げる第２溝部２２ａを第２枠板２２に設けているので、保護カバー１０をミミック式制御盤９に確実に取り付けることができる（図４参照）。
【００５５】
実施形態による保護カバーは、発電プラントにおけるミミック式制御盤に配置された操作スイッチを誤操作から防止するための保護カバーを例示したが、本発明による操作スイッチの保護カバーは、実施形態に限定されない。本発明による操作スイッチの保護カバーは、化学工業プラント又はその他のプラントにおけるプロセスを制御する制御盤に配置された操作スイッチに応用することもできる。
【符号の説明】
【００５６】
１ｐ  ポケット
６  札
８  操作スイッチ
９  制御盤（ミミック式制御盤）
１０  保護カバー
１１・１１  一対の側面板
１２  前面板
１３  底面板
１４  背面板
【図１】
0005235965.tif 000002
【図２】
0005235965.tif 000003
【図３】
0005235965.tif 000004
【図４】
0005235965.tif 000005
【図５】
0005235965.tif 000006
【図６】
0005235965.tif 000007